(57)【要約】【課題】入賞口へ入賞する遊技球の入賞動作を安定させると共に入賞口の開閉動作の信頼性の高い可変入賞装置を提供する。【解決手段】  常態では、回転体３１はケース体３２の入球開口３２ａを閉じた閉鎖位置に保持されており、遊技球を遊技盤に沿って流下させる。また、所定の条件が成立したことを条件にソレノイド３３へ通電して揺動部材３５を通じて回転体３１が閉鎖位置から羽根３１ｂが入球開口３２ａの手前側に傾斜した開放位置へ回転して保持される。このとき回転体３１が開放位置から閉鎖位置へ回転する際に、遊技球が羽根３１ｂに載っていたとしても、伝達機構３４により回転体３１が開放位置から閉鎖位置へ回転する中間位置で回転体３１の自由回転が許容されるので、遊技球の自重により入球開口３２ａの手前側若しくは奥側へ回転して流下させる。【選択図】図６
2015228929.tif 000002
【特許請求の範囲】
【請求項１】
遊技盤の遊技領域を流下する遊技球を導入する入球開口を備えたケース体と、
前記ケース体に前記遊技盤と平行方向に軸支される回転軸を中心として対向位置に延設された一対の羽根を有し、該羽根が前記ケース体の入球開口を閉鎖して遊技球を前記ケース体内への入球を阻止する閉鎖位置と、一方の羽根が前記入球開口の手前側に傾斜して前記ケース体の入球開口を開放し前記遊技領域を流下した遊技球を当該入球開口内へ誘導する開放位置とで各々保持される回転体と、
前記回転体による前記入球開口の開閉位置を切り替えるように駆動制御する駆動源と、
前記駆動原の駆動を前記回転体に伝達して回転位置を切り替える伝達機構と、を備え、
前記回転体は、前記閉鎖位置と前記開放位置とで回転位置が切り替わる中間位置で自由回転を許容するように軸支されていることを特徴とする可変入賞装置。
【請求項２】
前記回転体の回転軸の周面には前記駆動源に連繋する伝達部材が係合し、前記回転体を常態で前記閉鎖位置に保持する閉鎖カム溝と所定条件が成立したことを条件に前記回転体を前記開放位置に保持する開放カム溝とが連続するカム溝が軸対称に形成されており、前記一対のカム溝には前記閉鎖カム溝と前記開放カム溝との間に交差して自由回転が許容される周溝が周回形成されている請求項１記載の可変入賞装置。
【請求項３】
前記伝達機構は、前記回転軸に軸対称に形成された一対のカム溝のいずれかに前記伝達部材の係合部が常時係合したまま前記駆動源を駆動制御することで、前記係合部が前記閉鎖カム溝若しくは前記開放カム溝のいずれかと係合している請求項１又は請求項２記載の可変入賞装置。
【請求項４】
前記ケース体には、前記入球開口から入球した遊技球を入賞球とする入賞口が設けられ、当該入賞口に入賞した遊技球を検出する入賞球検出手段が設けられている請求項１乃至請求項３のいずれか１項記載の可変入賞装置。
【請求項５】
前記回転体の各羽根には、前記遊技球を前記ケース体に設けられた入賞口へ誘導する傾斜、誘導壁、誘導溝のいずれか軸対称に設けられている請求項４記載の可変入賞装置。
【請求項６】
前記回転体は開放位置へ回転すると、前記入球開口より手前側に傾斜する一方の羽根は、遊技領域を流下した遊技球を前記入球開口内へ誘導し、前記ケース体の奥側に位置する他方の羽根は、前記入球開口内に導入された遊技球を前記入賞口へ誘導する請求項４又は請求項５記載の可変入賞装置。
【請求項７】
前記ケース体には、前記入球開口内に入球し前記回転体の羽根の奥側に載った遊技球を前記回転体が入球開口奥側に自由回転することで落下させ遊技領域へ戻すための球放出通路が設けられている請求項１乃至請求項６のいずれか１項記載の可変入賞装置。
【請求項８】
請求項１乃至請求項７のいずれか１項記載の可変入賞装置を備え、入賞した所定数の遊技球に対応する既定の賞球を球払出装置から球受け皿に払い出す遊技機。
【発明の詳細な説明】
【技術分野】
【０００１】
本発明は、可変入賞装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤には、図柄表示装置や風車、チャッカー、賞球が払い出される普通入賞口や賞球が払い出されるともに図柄表示装置で抽選が開始される始動入賞口、大当たり（大入賞）が発生した場合に開口するアタッカー（可変入賞装置）などの役物が設けられている。
【０００３】
入賞口やアタッカーに遊技球が入賞すると、入賞した球数だけ、所定の賞球が払出し装置から打球受け皿に払い出される。風車に打球入賞口を設けて風車の回転を許容若しくは阻止して風車と入賞装置を一体化した入賞装置（特許文献１）や、左右に設けられた羽根車が自由回転して遊技球を落下させる状態と、強制回転させて特別入賞口や一般入賞口に遊技球を誘導する状態を切り替える入賞装置（特許文献２）などが提案されている。或いは大入賞口を開閉する開閉部材を、側面視十字状に交差して設けられた枠体部と平板部とで形成し、一方向に回転させることで、大入賞口を開閉する開閉装置（特許文献３）が提案されている。これらは遊技者の興趣を向上させたり、開閉速度を向上させるものであるが、風車の回転を阻止したり羽根車や開閉部材を強制回転させたりする際に、規定数より多い複数の遊技球を入賞口へ導いてしまうため、球払出装置から払い出される賞球数がばらつくおそれがあった。
【０００４】
この遊技球の大入賞口への入賞個数を安定させるため、遊技盤の取付孔に前枠部及び後枠部を備えた枠体部が組み付けられ、該枠体部の入賞開口内に枠状の開閉部材を配置し、遊技球を入賞開口を流下させる開口位置と入賞開口を塞いで大入賞口へ遊技球を案内する入賞位置とで前後に位置を切り替えるようにした大入賞口装置も提案されている（特許文献４参照。）
【先行技術文献】
【特許文献】
【０００５】
【特許文献１】実開４−１９６９号公報
【特許文献２】特開平６−３２７８１９号公報
【特許文献３】特許第５１５６５３６号公報
【特許文献４】特開２０１３−２２３５９０号公報
【発明の開示】
【発明が解決しようとする課題】
【０００６】
上述した特許文献４の大入賞口装置においては、枠体部の入賞開口を流下する遊技球を、常時前枠部に沿った前方位置に配置した開閉部材を後退させて入球開口を塞いで流下した遊技球を案内面部にて右枠部より左枠部へ誘導し当該左枠部に設けられた大入賞スイッチを通過させて賞球をカウントした後、所定カウント数が通過すると、開閉部材を前枠部に沿った前方位置へ移動させて入賞開口を開放して遊技球を流下させるようになっている。
このように枠体部内部の空間を案内面部が形成されたレール状に横長の開閉部材が横切るように前後動するために、入賞開口へ流下した遊技球を対向する壁面との間で挟み込む（噛み込む）おそれがある。この場合には、開閉部材の開閉動作不良（ロック状態）となって大入賞スイッチを遊技球が通過できないか或いは通過する遊技球の数が規定数を超えてしまい入賞動作が不安定となるおそれがある。
【０００７】
本発明の課題は、上記実情に鑑みてなされたものであり、入賞口へ入賞する遊技球の入賞動作を安定させると共に入賞口の開閉動作の信頼性の高い可変入賞装置及びそれを用いて安定した賞球の払い出し動作が行える遊技機を提供することにある。
【課題を解決するための手段】
【０００８】
本発明は上記目的を達成するため、次の構成を備えることを特徴とする。
遊技盤の遊技領域を流下する遊技球を導入する入球開口を備えたケース体と、前記ケース体に前記遊技盤と平行方向に軸支される回転軸を中心として対向位置に延設された一対の羽根を有し、該羽根が前記ケース体の入球開口を閉鎖して遊技球を前記ケース体内への入球を阻止する閉鎖位置と、一方の羽根が前記入球開口の手前側に傾斜して前記ケース体の入球開口を開放し前記遊技領域を流下した遊技球を当該入球開口内へ誘導する開放位置とで各々保持される回転体と、前記回転体による前記入球開口の開閉位置を切り替えるように駆動制御する駆動源と、前記駆動原の駆動を前記回転体に伝達して回転位置を切り替える伝達機構と、を備え、前記回転体は、前記閉鎖位置と前記開放位置とで回転位置が切り替わる中間位置で自由回転を許容するように軸支されていることを特徴とする。
これにより、常態では、回転体はケース体の入球開口を閉じた閉鎖位置に保持されており、遊技球は遊技領域を流下する。また、所定の条件が成立したことを条件に（例えばアタッカーの場合、大当たりが発生した際に）駆動源が駆動して伝達機構を通じて回転体を閉鎖位置から羽根が入球開口の手前側に傾斜した開放位置へ回転させて保持することで、入球開口を開放して遊技領域を流下した遊技球を入球開口へ導いて入賞させる。
所定条件を満たすと、駆動源が伝達部材を作動させて回転体を開放位置から閉鎖位置へ回転させて入球開口を閉鎖して遊技球が遊技領域へ流下する。このとき回転体が開放位置から閉鎖位置へ回転する際に、遊技球が羽根に載っていたとしても、伝達機構により回転体が開放位置から閉鎖位置へ回転する中間位置で回転体の自由回転が許容されるので、遊技球の自重により入球開口手前側若しくは奥側に回転して遊技領域へ流下させ、回転体は入球開口を閉鎖した閉鎖位置で保持される。これにより、遊技球の入賞口への入賞動作を安定させると共に回転体の羽根で規定数を超える遊技球を受け止めたとしても回転体が入球開口手前側若しくは奥側に自由回転して流下させるので入賞口の開閉動作の信頼性を高めることができる。
【０００９】
また、前記回転体の回転軸の周面には前記駆動源に連繋する伝達部材が係合し、前記回転体を常態で前記閉鎖位置に保持する閉鎖カム溝と、所定条件が成立したことを条件に前記回転体を前記開放位置に保持する開放カム溝とが連続するカム溝が軸対称に形成されており、前記一対のカム溝には前記閉鎖カム溝と前記開放カム溝との間に交差して自由回転が許容される周溝が周回形成されている。
よって、所定の条件が成立する前（例えば大当たりが発生する前）は、伝達部材が閉鎖カム溝と係合し回転体が閉鎖位置に保持されており、ケース体の入球開口は閉じているため、遊技盤を流下した遊技球はそのまま回転体の前面側を流下する。また、所定の条件が成立する（例えば大当たりが発生する）と、駆動源が作動して伝達部材が閉鎖カム溝から開放カム溝へカム溝内を移動して回転体を閉鎖位置から入球開口手前側の開放位置へ回転させて保持するため、ケース体の入球開口を開放させるとともに羽根が遊技盤を流下した遊技球を受け止めるので遊技球を入球開口へ誘導して入賞させる。
また、回転体が開放位置から閉鎖位置へ回転する際に、遊技球が羽根に載っていたとしても伝達部材が開放カム溝から閉鎖カム溝へ移動する際に周溝を経由するため、伝達部材が周溝に係合した状態で遊技球の自重によって回転体が入球開口手前側若しくは奥側へ自由回転して遊技球を遊技領域へ流下させる。これにより、規定数を超えた遊技球が入賞開口へ入賞することはなく入賞動作が安定し、遊技球を流下させる動作と入賞開口へ入賞させる入賞動作の切り替えが確実に行える。
【００１０】
また、前記伝達機構は、前記回転軸に軸対称に形成された一対のカム溝のいずれかに前記伝達部材の係合部が常時係合したまま前記駆動源を駆動制御することで、前記係合部が前記閉鎖カム溝若しくは前記開放カム溝のいずれかと係合していることが好ましい。これにより、駆動源を駆動することでカム溝に沿って伝達部材の係合部が移動することで回転体が閉鎖位置と開放位置との間を回転して羽根により入球開口を迅速に開閉することができる。
【００１１】
前記ケース体には、前記入球開口から導入した遊技球を入賞球とする入賞口が設けられ、当該入賞口に入賞した遊技球を検出する入賞球検出手段が設けられていることが好ましい。
これにより、ケース体の入球開口より導入され入賞口へ入賞した遊技球の数を入賞球検出手段により計数して駆動源の駆動動作を制御することで、回転体を閉鎖位置と開放位置の間を迅速に回転させて入球開口を開閉することができる。
【００１２】
また、前記回転体の各羽根には、前記遊技球を前記ケース体に設けられた入賞口へ誘導する傾斜、誘導壁、誘導溝のいずれか軸対称に設けられていると、ケース体の入球開口に導入された遊技球を羽根で受け止めて入賞口へ誘導して入賞させることができる。
【００１３】
また、前記回転体は開放位置へ回転すると、前記入球開口より手前側に傾斜する一方の羽根は、遊技領域を流下した遊技球を前記入球開口内へ誘導し、前記ケース体の奥側に位置する他方の羽根は、前記入球開口内に導入された遊技球を前記入賞口へ誘導することが好ましい。
これにより、回転体に設けられた一対の羽根のうち入球開口より手前側に傾斜する一方の羽根が球受け板となって遊技領域を流下した遊技球を受け止めて入球開口内へ誘導し、ケース体の奥側に位置する他方の羽根が遊技球を入賞口へ誘導する誘導板の役割を果たす。このように、ケース体とともに回転体の羽根が球誘導路を兼用するため、可変入賞装置を小型化することができ、遊技盤に対する配置の自由度が高まる。
【００１４】
また、前記ケース体には、前記入球開口内に導入され前記回転体の羽根の奥側に載った遊技球を、前記回転体が入球開口奥側に自由回転して落下させた遊技球を遊技領域へ戻すための球放出通路が設けられているのが好ましい。
これにより、回転体が開放位置から閉鎖位置へ回転する際に、入球開口より導入され回転体の奥側の羽根に遊技球が載っていたとしても、伝達部材が周溝に係合すると遊技球の自重によって回転体がケース体の入球開口奥側へ自由回転して遊技球が球放出通路を通じて遊技領域へ戻され、回転体の羽根によって迅速に入球開口を閉鎖することができる。
【００１５】
また上述したいずれかの可変入賞装置を備え、入賞した所定数の遊技球に対応する既定の賞球を球払出装置から球受け皿に払い出す遊技機においては、所定の条件が成立した際に球払出装置から払い出される賞球の数も安定する。
【発明の効果】
【００１６】
上述した可変入賞装置及び遊技機を用いれば、入賞口へ入賞する遊技球の入賞動作を安定させると共に入賞口の開閉動作の信頼性の高い可変入賞装置及びそれを用いて安定した賞球の払い出し動作が行える遊技機を提供することができる。
【図面の簡単な説明】
【００１７】
【図１】パチンコ機の正面図である。
【図２】図１のパチンコ機の背面図である。
【図３】可変入賞装置の入賞開口を閉鎖した状態の正面図、左右側面図、平面図及び底面図、背面図である。
【図４】可変入賞装置の入賞開口を開放した状態の正面図、左右側面図、平面図及び底面図、背面図である。
【図５】可変入賞装置の入賞開口を閉鎖した状態の斜視図である。
【図６】可変入賞装置の入賞開口を開放した状態の斜視図である。
【図７】入賞開口を閉鎖した状態の駆動源、伝達機構、回転体の斜視説明図である。
【図８】入賞開口を開放した状態の駆動源、伝達機構、回転体の斜視説明図である。
【図９】回転体の左右対称斜視図及び上下対称斜視図である。
【図１０】可変入賞装置の分解斜視図である。
【図１１】可変入賞装置の回転体が開放位置から閉鎖位置へ切り替わる状態を示す正面図及び断面図である。
【発明を実施するための形態】
【００１８】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００１９】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ａ，５ｂにより前面枠５が開閉可能に取り付けられている。
【００２０】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００２１】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、可変入賞装置（アタッカー）１５、遊技盤レール１６、サイドランプ１７などの盤面部品やアウト球（電動チューリップ１４，アタッカー１５に入賞しなかった遊技球）を回収するアウト口１８などが設けられている。また、前面枠５にはシリンダ錠５ｃが設けられている。図示しないキーを鍵穴に挿入して回転操作することでシリンダ錠５ｃの開錠施錠が行われる。シリンダ錠５ｃはキーを差し込んで一方向へ回転させると外枠２と内枠３の施錠が開錠され、他方向へ回転させると前面枠５と内枠３の施錠が開錠するようになっている。
【００２２】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球払出樋２３を通じて遊技球を貸球、賞球として球受け皿９（図１参照）へ払い出される。
【００２３】
また、遊技盤６の背面側は盤裏カバー２４に覆われている。この盤裏カバー２４には、図柄表示装置１１とこれを制御する画像処理基板等（図示せず）が覆われている。また、パチンコ機１の遊技動作を統括制御する主制御基板２５は、基板収納ケースに収納されて封止されている。また、主制御基板２５のほかに、球払出装置２２の球払出し動作を制御する払出制御基板２６、球発射装置（図示せず）の動作を制御する発射制御基板２７などが設けられている。
【００２４】
次に、遊技盤６に設けられる可変入賞装置（アタッカー）１５の構成について、図３乃至図１１を参照して説明する。
可変入賞装置１５は、図１の遊技盤６の所定箇所に開設された開口部６ａに組み付けられ、常態では遊技領域を流下する遊技球を通過させ、大当たりが発生すると回転体３１により閉鎖されていたケース体３２の入球開口３２ａ（図４（Ａ）参照）が開放されて遊技球を入球開口３２ａから導入し、ケース体３２内に設けられた入賞口３２ｂに入賞させるようになっている。
【００２５】
図３（Ａ）〜（Ｇ）及び図４（Ａ）〜（Ｇ）に示すように、ケース体３２の正面には、遊技球が流下する遊技領域で開閉する入球開口３２ａが設けられている。この入球開口３２ａを開閉する回転体３１が回転可能に軸支されている。
回転体３１はケース体３２に遊技盤６と平行方向に軸支される回転軸３１ａを中心として１８０°対向する位置に延設された一対の羽根３１ｂが一体に形成されている。
回転体３１は、羽根３１ｂがケース体３２の入球開口３２ａを閉鎖して遊技球をそのまま遊技領域に流下させる閉鎖位置（図３（Ａ）参照）と、羽根３１ｂが入球開口手前側に傾斜してケース体３２の入球開口３２ａを開放して遊技盤を流下した遊技球を当該入球開口３２ａ内へ誘導する開放位置（図４（Ａ）参照）との間で回転し、回転体３１は閉鎖位置若しくは開放位置で保持される。入球開口３２ａの閉鎖時には、一対の羽根３１ｂにより入球開口３２ａを閉鎖し、入球開口３２ａの開放時には、入球開口３２ａより手前側（前方）に傾斜する一方の羽根３１ｂは、遊技領域を流下する遊技球を受け入球開口３２ａ内に導く球受板の役割を果たし、ケース体３２の奥側に位置する他方の羽根３１ｂは、入球開口３２ａ内に導かれた遊技球を入賞口３２ｂに導く誘導板の役割を果たす。また、回転体３１は閉鎖位置と開放位置とで回転位置が切り替わる中間位置で自由回転が許容されるように軸支されている。このように、ケース体３２とともに回転体３１に設けた一対の羽根３１ｂが球誘導路を兼用するため、可変入賞装置を小型化することができ、遊技盤６（図１参照）に対する配置の自由度が高まる。また、回転体３１が閉鎖位置と開放位置とで回転位置が切り替わる中間位置で自由回転が許容されるようになっていることにより、それぞれの羽根３１ｂは、片面が遊技領域を流下する遊技球を受ける役割を果たし、その裏面は入賞口３２ｂに遊技球を誘導するようになっている。したがって、回転体３１がどのように回転して開放位置になっても、確実に遊技領域を流下する遊技球を受け、所定の個数の遊技球が入賞するまで入賞口３２ｂに遊技球を誘導するようになっている。
【００２６】
また、図７及び図８に示すように、ケース体３２内には、ソレノイド３３（駆動源）が設けられており、回転体３１により入球開口３２ａの開閉位置を切り替えるように駆動制御される。ケース体３２内には、ソレノイド３３（駆動源）の駆動を回転体３１に伝達して回転位置を切り替える伝達機構３４が設けられている。伝達機構３４は、ケース体３２に装置前後方向に配置される揺動軸３５ａを中心に揺動可能な揺動部材３５（伝達部材）を備えている。
【００２７】
図９（Ａ）（Ｂ）は、回転体３１を垂直方向の対称軸（図示せず）を中心とした斜視図であり、図９（Ｃ）（Ｄ）は水平方向の対称軸（図示せず）を中心とした斜視図である。図９（Ａ）〜（Ｄ）において、回転体３１の回転軸３１ａの一端側（正面視右端側）周面には、一対のカム溝３１ｃが軸対称に形成されている。カム溝３１ｃは、回転体３１を閉鎖位置に保持する閉鎖カム溝３１ｄ、回転体３１を装置手前側に回転させて開放位置に保持する開放カム溝３１ｅが連続するように設けられている。この閉鎖カム溝３１ｄと開放カム溝３１ｅの中間位置にこれらに交差して周回する周溝３１ｆが形成されている。
【００２８】
図７及び図８に示すように、水平配置されたソレノイド３３のプランジャ３３ａの先端溝部３３ｂに、揺動部材３５の揺動軸３５ａの近傍に設けられた連係ピン３５ｂが係合し、カム溝３１ｃに揺動アーム３５ｃの先端部に設けられた係合ピン３５ｄ（係合部）が係合している。伝達機構３４は、回転軸３１ａに軸対称に形成された一対のカム溝３１ｃに揺動部材３５の係合ピン３５ｄが常時係合したままソレノイド３３へ通電制御（ＯＮ／ＯＦＦ制御）することで、係合ピン３５ｄが一対のカム溝３１ｃのうち閉鎖カム溝３１ｄ若しくは開放カム溝３１ｅのいずれかと係合するようになっている。なお、プランジャ３３ａにはスプリング（図示せず）が巻装されており、常態（ＯＦＦ状態）でスプリングの付勢によりプランジャ３３ａが突出した状態となっている。
【００２９】
常態においては、揺動部材３５の係合ピン３５ｄが閉鎖カム溝３１ｄと係合して回転体３１を閉鎖位置に固定する（図７参照）。また、所定条件が成立した（例えば大当たりが発生した）ことを条件に、ソレノイド３３に通電してプランジャ３３ａを引き寄せることで揺動部材３５が揺動軸３５ａを中心に揺動して係合ピン３５ｄが閉鎖カム溝３１ｄから開放カム溝３１ｅへ移動する。このとき、回転体３１を装置手前側へ回転させた開放位置に固定する（図８参照）。
【００３０】
図６に示すように、ケース体３２には、回転体３１により入球開口３２ａから導入された遊技球を入賞球とする入賞口３２ｂが開放時の羽根３１ｂの側方に位置して設けられている。入賞口３２ｂは球通路３２ｊに連通している。
図３（Ｅ），図４（Ｅ）に示すように球通路３２ｊには入賞口３２ｂより入賞した遊技球を検出する入賞球検出スイッチ３６（入賞球検出手段）が設けられている。入賞球検出スイッチ３６としては、例えば誘導形近接センサが好適に用いられる。入賞球検出スイッチ３６は、ケース体３２の下方（球通路３２ｊの下流側）に装着され（図３（Ａ）（Ｅ）及び図４（Ａ）（Ｅ）参照）、入賞口３２ｂから球通路３２ｊへ排出された遊技球を検出する。これにより、ケース体３２の入球開口３２ａより導入され入賞口３２ｂに入賞した遊技球の数を入賞球検出スイッチ３６により計数してソレノイド３３の駆動動作を制御することで、回転体３１を閉鎖位置と開放位置の間を迅速に回転させて入球開口３２ａを開閉することができる。このため、入賞球検出スイッチ３６を入賞口３２ｂの近傍（直近）に配置することで、ソレノイド３３のより迅速な駆動制御を実現できる。
【００３１】
また、図１１（Ａ）（Ｂ）に示すように、ケース体３２の回転体３１が設けられた下方には、入賞球検出スイッチ３６で所定個数の遊技球を検知後に、入球開口３２ａ内に導入され回転体３１の羽根３１ｂの奥側に載った遊技球を、回転体３１が入球開口３２ａの奥側に自由回転して落下させ、当該遊技球を遊技領域へ戻すための球放出通路３２ｍが設けられている。球放出通路３２ｍは仕切り壁３２ｎにより仕切られ、ケース体３２の奥側底部を入賞口３２ｂ側の側壁に向かう下り傾斜とし、その終端から入球開口３２ａ側に向かう前傾斜とした平面視Ｌ字状に形成されている（図１０参照）。また、球放出通路３２ｍの放出口３２ｐは遊技盤開口６ａ（図１参照）に接続されている。球放出路３２ｍの底部は、放出口３２ｐ側の高さが最も低く、それより上流側に向かって漸進高さが高くなるように傾斜している。
【００３２】
入賞球検出スイッチ３６で所定個数の遊技球を検知後、図１１（Ｂ）に示すようにケース体３２の入球開口３２ａより導入され回転体３１の奥側の羽根３１ｂに遊技球が載っていたとしても、揺動部材３５が周溝３１ｆに係合すると（図８参照）、遊技球の自重によって回転体３１がケース体３２の入球開口３２ａの奥側へ自由回転して遊技球が球放出通路３２ｍへ落下する。このとき、遊技球は、球放出通路３２ｍの傾斜にしたがって仕切り壁３２ｎにガイドされながら、放出口３２ｐへ流下する。そして、遊技盤開口６ａ（図１参照）に臨む放出口３２ｐを通じて遊技領域へ戻され、回転体３１の羽根３１ｂによって迅速に入球開口３２ａを閉鎖することができる（図５参照）。このため、入賞球検出スイッチ３６で所定個数の遊技球を検知後、仮に遊技球がケース体３２内にあったとしても、回転体３１（羽根３１ｂ）が入賞口３２ｂに導くことはなく、羽根３１ｂから球放出通路３２ｍへ落下した遊技球を放出口３２ｐ（入球開口３２ａの下方）から遊技領域に放出する。
【００３３】
また、回転体３１の各羽根３１ｂには、遊技球をケース体３２に設けられた入賞口３２ｂへ誘導する傾斜、誘導壁、誘導溝のいずれか軸対称に設けられているのが好ましい。羽根３１ｂに設けられる傾斜、誘導壁、誘導溝は、いずれも垂直方向の高さがカム溝３１ｃ側が高く入賞口３２ｂ側が低くなるように形成される。これにより、ケース体３２の入球開口３２ａから導入された遊技球を羽根３１ｂで受け止めて入賞口３２ｂへ誘導して入賞させることができる。
【００３４】
ここで、可変入賞装置（アタッカー）１５の組み付け構成例について図１０を参照して説明する。図１０において、ケース体３２には、回転体３１を収納する回転体収納部３２ｃとソレノイド３３及び伝達機構３４を収納する駆動伝達収納部３２ｄが仕切り壁３２ｅにより仕切られて設けられている。回転体収部３２ｃには回転軸３１ａの一端（正面視左端）を挿入する嵌合孔３２ｆ、仕切り壁３２ｅにはカム溝３１ｃが形成された軸部を受ける凹部３２ｇ、駆動伝達収納部３２ｄ側の壁面には、回転軸３１ａの他端（正面視右端）を受ける嵌合凹部３２ｈが形成されている。
【００３５】
また、駆動伝達収納部３２ｄには、揺動軸３５ａの一方側（後側）が嵌め込まれる軸支孔３２ｉが形成されている。また、駆動伝達収納部３２ｄを覆う蓋体３７には、揺動軸３５ａの他方側（前側）が嵌め込まれる軸支孔３７ａが設けられている。蓋体３７には、カム溝３１ｃが形成された軸部を受ける凹部３２ｇと対向する凹部３７ｂと、回転軸３１ａの他端（正面視右端）を受ける嵌合凹部３２ｈと対向する嵌合凹部３７ｃが各々形成されている。
【００３６】
ソレノイド３３及び揺動部材３５を駆動伝達収納部３２ｄに収納する。ソレノイド３３は、駆動伝達収納部３２ｄに横置き状態で組み付けられる。このとき、ソレノイド３３のプランジャ３３ａの先端溝部３３ｂに揺動部材３５に形成された一対の連係ピン３５ｂを係止させ、揺動軸３５ａの一端側（後端側）が軸支孔３２ｉに嵌め込まれて組み付けられる。また、入賞球検出スイッチ３６を入賞口３２ｂに連なる球通路３２ｊの下端に組み付ける。入賞球検出スイッチ３６は、例えば球通路３２ｊの側方に形成された挿入口３２ｋ（図３（Ｂ）参照）から挿入されて組み付けられる。
【００３７】
また、回転体収納部３２ｃに回転体３１を組み付ける。回転軸３１ａの一端（左端）を嵌合孔３２ｆに挿通し、カム溝３１ｃが形成された軸部を凹部３２ｇに配置し、回転軸３１ａの他端（右端）を嵌合凹部３２ｈに嵌め込んで支持する。このとき、カム溝３１ｃの閉鎖カム溝３１ｄには、揺動アーム３５ｃに形成された係合ピン３５ｄが係合して組み付けられる。係合ピン３５ｄは常時カム溝３１ｃと係合状態を維持しながらカム溝３１ｃ内を移動するように組み付けられる。
【００３８】
最後に、蓋体３７をケース体３２の駆動伝達収納部３２ｄを覆ってビス止め、接着等により一体に組み付けられる。このとき、蓋体３７の軸支孔３７ａには、揺動軸３５ａの他端（前端）が嵌め込まれ、カム溝３１ｃが形成された回転体軸部を凹部３２ｇと共に凹部３７ｂで受け、回転軸３１ａの他端（右端）を嵌合凹部３２ｈと共に嵌合凹部３７ｃに嵌め込んで回転体３１を回転可能に支持する。
以上のように組み立てられたアタッカー１５は、遊技盤６の開口部６ａ（図１参照）にケース体３２の入球開口３２ａが遊技領域に臨むように組み付けられる（図３（Ａ），図４（Ａ）参照）。尚、発光基板をケース体３２に設けて回転体収納部３２ｃ、回転体３１へ光照射するようにしてもよい。
【００３９】
次に、アタッカー１５の動作例について図５乃至図８を参照して説明する。
遊技者により発射ハンドル１０（図１参照）を操作して遊技が開始され、遊技球が遊技盤６の遊技領域に打ち出される。図５において、遊技領域に臨むケース体３２の入球開口３２ａは回転体３１の羽根３１ｂによって塞がれているため、遊技球はそのまま回転体３１の前側を通過して遊技領域を流下させる。
【００４０】
このとき、図７に示すように、常態では、ソレノイド３３はＯＦＦ状態にあり、揺動部材３５は揺動軸３５ａを中心に反時計回り方向に傾いて係合ピン３５ｄが、カム溝３１ｃのうち閉鎖カム溝３１ｄと係合している。また、回転体３１は、ケース体３２の入球開口３２ａを閉塞した（遊技盤６に倣った）状態に保持されている（図５参照）。よって、遊技領域を流下する遊技球が、入球開口３２ａに入ることはない。
【００４１】
一方、図柄表示装置１１（図１参照）において抽選が行われ、大当たり等の所定の条件が成立すると、図８に示すように、ソレノイド３３がＯＮ状態となる。このとき、プランジャ３３ａを水平方向に引き込むため揺動部材３５は揺動軸３５ａを中心に時計回り方向に回転させて、揺動アーム３５ｃの係合ピン３５ｄは、閉鎖カム溝３１ｄから開放カム溝３１ｅへカム溝３１ｃ内を移動するため、回転体３１は回転軸３１ａを中心に時計回り方向に回転して開放カム溝３１ｅに係止したまま保持される。
【００４２】
これにより、図６に示すように回転体３１は、一対の羽根３１ｂが遊技盤６（図１参照）に倣った垂直方向から入球開口３２ａの手前側に所定量回転して保持されるため、ケース体３２の入球開口３２ａが開口する。このとき、遊技領域を流下した遊技球は回転体３１の手前側の羽根３１ｂに受け止められて入球開口３２ａに入球する。入球開口３２ａに入球した遊技球は、奥側の羽根３１ｂの傾斜等によって入賞口３２ｂに誘導されて入賞し、球通路３２ｊを落下する際に入賞球検出スイッチ３６により入賞球が検出される。入賞球の検出情報は、払出制御基板２６（図２参照）へ送信される。
【００４３】
入賞検出スイッチ３６が所定数の遊技球を検出すると、ソレノイド３３への通電を停止（ＯＦＦ）して、図７に示すように、再度プランジャ３３ａがスプリングの付勢により突出するため、揺動部材３５は揺動軸３５ａを中心に反時計回り方向に回転する。このため、開放カム溝３１ｅに係合していた係合ピン３５ｄは、閉鎖カム溝３１ｄに移動して保持される。これにより、回転体３１は図６の回転軸３１ａを中心に時計回り方向に回転して、図５に示すように回転体３１がケース体３２の入球開口３２ａを閉鎖する。
【００４４】
図６において、回転体３１が開放位置から閉鎖位置へ回転する際に、遊技領域を流下する遊技球が入球開口３２ａの手前側に傾斜する羽根３１ｂに載ったとしても揺動アーム３５ｃの係合ピン３５ｄは開放カム溝３１ｅから閉鎖カム溝３１ｄへ移動する間に周溝３１ｆと係合するため、遊技球の自重により周溝３１ｆに沿って装置手前側へ自由回転して遊技球を遊技領域に流下させる。これにより、入賞口３２ｂには、規定数を超えた遊技球が入賞することはなく、入賞動作が安定する。
回転体３１は装置手前側に回転すると、揺動アーム３５ｃの係合ピン３５ｄは反対側の閉鎖カム溝３１ｄに係止してその位置で回転体３１が保持される。このため、入球開口３２ａは閉鎖されたままとなり、入球開口３２ａの開閉時に規定数以上の遊技球を入賞させることを阻止し、遊技球の入賞個数を安定させることができる。また、このとき、遊技領域を流下する遊技球を受けていた羽根３１ｂが下方に位置し、奥側で入賞口３２ｂに遊技球を誘導していた羽根３１ｂが上方に位置して入球開口３２ａを閉鎖する。したがって、次に回転体３１が回転し入球開口３２ａを開放するときには、先に奥側で入賞口３２ｂに遊技球を誘導していた羽根３１ｂが遊技領域を流下する遊技球を受けることになる。
【００４５】
また、回転体３１が開放位置から閉鎖位置へ回転する際に、遊技球が羽根３１ｂに受け止められてケース体３２内に導かれたとしても、図１１（Ｂ）に示すように回転体３１が自由回転して羽根３１ｂが起立姿勢となる際に羽根３１ｂに載っている遊技球は球放出通路３２ｍに落下し、放出口３２ｐより遊技領域に放出される。このように、所定個数の遊技球が検出された後には、たとえ入球開口３２ａからケース体３２内に遊技球が導かれ回転体３１に遊技球が載っていたとしても入賞口３２ｂに導かれることはない。したがって、所定個数の遊技球が検出された後に、入賞口３２ｂには規定数を超えた遊技球が入賞することはなく、入賞動作が安定する。
【００４６】
払出制御基板２６（図２参照）は、入賞口３２ｂへ入賞した所定の遊技球数に応じて球払出装置２２から球受け皿９へ所定数の賞球を払い出す。よって、大当たりが発生した場合に、球払出装置２２から払い出される賞球の数も安定する。
【００４７】
また、上述した実施形態では可変入賞装置を所定の条件の下で、多量の入賞球を発せさせるアタッカーとして説明したが、タイマー等で計測される時間内等所定の条件の下で随時入賞口を開閉する始動入賞口や一般入賞口等に適用してもよい。また、遊技機の一例としてパチンコ機について説明したが、他の遊技球を使用する遊技機、例えば雀球遊技機やアレンジボール遊技機などに適用してもよい。
【符号の説明】
【００４８】
１  パチンコ機  ２  外枠  ３  内枠  ４ａ，４ｂ  内枠ヒンジ  ５  前面枠  ５ａ，５ｂ  前枠ヒンジ  ５ｃ  シリンダ錠  ６  遊技盤  ６ａ  遊技盤開口部  ７  窓部  ８  装飾ランプ  ９  球受け皿  １０  発射ハンドル  １１  図柄表示装置  １１ａ  センター役物  １２  スルーチャッカー  １３  風車  １４  電動チューリップ  １５  可変入賞装置（アタッカー）  １６  遊技盤レール  １７  サイドランプ  １８  アウト口  １９  貯留タンク  ２０  タンクレール  ２１  球通路  ２２  球払出装置  ２３  球払出し通路  ２４  盤裏カバー  ２５  主制御基板  ２６  払出制御基板  ２７  発射制御基板  ３１  回転体  ３１ａ  回転軸  ３１ｂ  羽根  ３１ｃ  カム溝  ３１ｄ  閉鎖カム溝  ３１ｅ  開放カム溝  ３１ｆ  周溝  ３２  ケース体  ３２ａ  入賞開口  ３２ｂ  入賞口  ３２ｃ  回転体収納部  ３２ｄ  駆動伝達収納部  ３２ｅ  仕切り壁  ３２ｆ  嵌合孔  ３２ｇ，３７ｂ  凹部  ３２ｈ，３７ｃ  嵌合凹部  ３２ｉ，３７ａ  軸支孔  ３２ｊ  球通路  ３２ｋ  挿入口  ３１ｍ  球放出通路  ３２ｎ  仕切り壁  ３２ｐ  放出口  ３３  ソレノイド（駆動源）  ３３ａ  プランジャ  ３３ｂ  先端溝部  ３４  伝達機構  ３５  揺動部材  ３５ａ  揺動軸  ３５ｂ  連係ピン  ３５ｃ  揺動アーム  ３５ｄ  係合ピン  ３６  入賞球検出スイッチ  ３７  蓋体
【図１】
2015228929.tif 000003
【図２】
2015228929.tif 000004
【図３】
2015228929.tif 000005
【図４】
2015228929.tif 000006
【図５】
2015228929.tif 000007
【図６】
2015228929.tif 000008
【図７】
2015228929.tif 000009
【図８】
2015228929.tif 000010
【図９】
2015228929.tif 000011
【図１０】
2015228929.tif 000012
【図１１】
2015228929.tif 000013